(57)【要約】  体内水分計において、測定精度の維持と衛生面の改善を図る。本発明に係る体内水分計２００は、被検者の体表面の静電容量を示すデータを測定するセンサ部１１０と、センサ部１１０を支持するとともに、センサ部１１０を覆う保護膜２１１が配された保護カバー２００が装着される装着部と、センサ部１１０により測定されたデータに基づいて、前記被検者の体内水分量を算出する制御部と、を備え、前記制御部は、前記装着部に保護カバー２００が装着されていた場合に、センサ部１１０により測定されたデータに基づいて、前記被検者の体内水分量を算出するにあたり、保護膜２１１の材質に対応する補正値を用いて該体内水分量の補正を行うことを特徴とする。
2013018295.tif 000002
【特許請求の範囲】
【請求項１】
体内水分計であって、
被検者の体表面に接触させることで、生体中の水分に関するデータを測定するセンサ部と、
前記センサ部を支持するとともに、前記センサ部を覆う保護膜が配された保護カバーが装着される装着部と、
前記センサ部により測定されたデータに基づいて、前記被検者の体内水分量を算出する制御部と、を備え、
前記制御部は、前記装着部に前記保護カバーが装着されていた場合に、前記センサ部により測定されたデータに基づいて、前記被検者の体内水分量を算出するにあたり、前記保護膜の材質に対応する補正値を用いて該体内水分量の補正を行うことを特徴とする体内水分計。
【請求項２】
前記保護カバーが装着されているか否かを検知する検知部を更に備え、
前記制御部は、前記検知部により、前記保護カバーが装着されていることが検知された場合に、前記補正値を用いて前記体内水分量の補正を行うことを特徴とする請求項１に記載の体内水分計。
【請求項３】
前記保護カバーが装着されていることを入力する入力部を更に備え、
前記制御部は、前記入力部により、前記保護カバーが装着されていることが入力された場合に、前記補正値を用いて前記体内水分量の補正を行うことを特徴とする請求項１に記載の体内水分計。
【請求項４】
前記補正値を入力する入力部を更に備え、
前記制御部は、前記入力部により入力された前記補正値を用いて前記体内水分量の補正を行うことを特徴とする請求項１に記載の体内水分計。
【請求項５】
前記保護カバーは、前記装着部に装着された際に前記センサ部に対応する位置に、開口部が設けられており、前記保護膜は、該開口部に配された伸縮自在な膜であることを特徴とする請求項２乃至４のいずれか１項に記載の体内水分計。
【請求項６】
前記保護カバーは、前記装着部に装着された際に該装着部に設けられた切り欠き部に係止される、係止部を備えることを特徴とする請求項５に記載の体内水分計。
【請求項７】
前記保護カバーは、前記装着部に嵌合されるように、該装着部の外形に則した形状のハウジングを有することを特徴とする請求項５に記載の体内水分計。
【請求項８】
被検者の体表面に接触させることで生体中の水分に関するデータを測定するセンサ部と、前記センサ部を支持する支持部と、を備え、前記センサ部により測定されたデータに基づいて、前記被検者の体内水分量を算出する体内水分計であって、
前記支持部は、
第１のローラと、第２のローラと、該第１及び第２のローラ間に張架された帯状部材とを有するカートリッジを、前記支持部のハウジング内に固定する固定部と、
前記固定部に前記カートリッジが固定された状態で前記帯状部材を巻き取る前記第２のローラを回転させるための回転部と、を備え、
前記固定部に前記カートリッジが固定された状態で、前記第１及び第２のローラ間に張架された前記帯状部材は、前記第２のローラによる巻き取りに応じて、前記センサ部の、前記被検者の体表面と接触する側の面上を摺動するよう配置可能であることを特徴とする体内水分計。
【請求項９】
前記帯状部材は、前記センサ部の大きさに対応する大きさの開口部が所定間隔で設けられており、該開口部間には、吸収部材が配されていることを特徴とする請求項８に記載の体内水分計。
【請求項１０】
前記カートリッジの種類を入力する入力部を更に備え、
前記入力部により入力された、前記カートリッジの種類に応じた補正値を用いて、前記体内水分量の補正を行うことを特徴とする請求項８に記載の体内水分計。
【請求項１１】
補正値を入力する入力部を更に備え、
前記入力部により入力された補正値を用いて前記体内水分量の補正を行うことを特徴とする請求項８に記載の体内水分計。
【請求項１２】
前記回転部は、前記固定部に前記カートリッジが固定された状態で前記帯状部材を巻き取る前記第２のローラを回転させるための操作を受け付ける操作部を更に備えることを特徴とする請求項８に記載の体内水分計。
【請求項１３】
前記センサ部は、前記被検者の体表面に接触させることで、接触方向にスライド動作するように構成されており、
前記回転部は、前記センサ部が、前記スライド動作により前記接触方向に往復運動した場合に、前記帯状部材を巻き取る前記第２のローラを回転させることを特徴とする請求項８に記載の体内水分計。
【発明の詳細な説明】
【技術分野】
【０００１】
本発明は、被検者の生体の水分を測定する体内水分計に関するものである。
【背景技術】
【０００２】
被検者の生体の水分を測定することは重要である。生体における脱水症状は、生体中の水分が減少する病態であり、日常しばしば発現し、特に発汗や体温上昇により多くの水分が体内から体外に排出される運動時や気温の高い時に多く発現する症状である。特に、高齢者においては、生体の水分保持能力自体が低下していることが多いために、高齢者は一般健常者と比較して脱水症状を起こし易いと言われている。【０００３】
また、同じような脱水症状は、乳幼児でも見られる。乳幼児はもともと水分量が多いが、自ら水分補給を訴えることができず、保護者が気づくのが遅れることがあるからである。【０００４】
通常、生体中の水分が体重の３％以上失われた時点で体温調整の障害が起こると言われており、体温調整の障害は体温の上昇を引き起こし、体温の上昇は更なる生体中の水分の減少を引き起こすという悪循環に陥り、遂には熱中症と称される病態に至ることとなる。熱中症には、熱痙攣、熱疲労、熱射病等の病態があり、時には全身の臓器障害が起こることもあり、脱水症状を的確に把握することで、熱中症に至る危険を未然に回避できるようにすることが望まれる。【０００５】
脱水症状を把握する、いわゆる体内水分計としては、例えば、両手でハンドルを保持するような装置で人体インピータンスを測定し、その測定結果から体内水分量を算出するものが知られている（特許文献１）。
【先行技術文献】
【特許文献】
【０００６】
【特許文献１】特開平１１−３１８８４５号公報
【発明の概要】
【発明が解決しようとする課題】
【０００７】
しかしながら、特許文献１に記載の体内水分計の場合、被検者自身が両手でハンドルを把持することが要求されるため、被検者以外の他人が容易に被検者の体内水分量を測定するということができないという問題がある。すなわち、特許文献１に記載された測定部位を前提とする体内水分計の構造では、乳幼児や意識障害に陥った被検者の体内水分量を測定することが困難であるという問題がある。【０００８】
一方で、被検者以外の他人が容易に測定でき、かつ、体内水分量の測定に適した部位として、例えば、腋下の皮膚等が挙げられる。しかしながら、腋下はもともと発汗量の多い部位であり、測定部位として腋下の皮膚を前提とすると、例えば、複数の被検者の体内水分量を続けて測定しようとした場合に、前回の被検者の測定時に付着した汗等が、次回の被検者の測定結果に影響を及ぼすことが考えられる。このため、高い測定精度を維持するためには、測定の旅に接触部分（センサ部）に付着した汗等を完全に拭きとっておくことが不可欠である。【０００９】
また、そもそも、被測定者の体表に接触させて体内水分量を測定する体内水分計にあっては、衛生上の観点から、接触部分（センサ部）が常に清潔に保たれていることが望ましい。【００１０】
本発明は、上記課題に鑑みてなされたものであり、被検者の体内水分量を測定する体内水分計において、測定精度の維持と衛生面の改善を図ることを目的とする。
【課題を解決するための手段】
【００１１】
上記の目的を達成するために、本発明に係る体内水分計は以下のような構成を備える。即ち、
被検者の体表面に接触させることで生体中の水分に関するデータを測定するセンサ部と、
前記センサ部を支持するとともに、前記センサ部を覆う保護膜が配された保護カバーが装着される装着部と、
前記センサ部により測定されたデータに基づいて、前記被検者の体内水分量を算出する制御部と、を備え、
前記制御部は、前記装着部に前記保護カバーが装着されていた場合に、前記センサ部により測定されたデータに基づいて、前記被検者の体内水分量を算出するにあたり、前記保護膜の材質に対応する補正値を用いて、該体内水分量の補正を行うことを特徴とする。
【発明の効果】
【００１２】
被検者の体内水分量を測定する体内水分計において、測定精度の維持と衛生面の改善を図ることが可能となる。【００１３】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１４】
添付図面は明細書に含まれ、その一部を構成し、本発明の実施の形態を示し、その記述と共に本発明の原理を説明するために用いられる。
【図１】図１は、本発明の一実施形態にかかる体内水分計の外観構成を示す図である。
【図２】図２は、体内水分計に装着される保護カバーの外観構成を示す図である。
【図３Ａ】図３Ａは、保護カバーを体内水分計に装着する様子を示す図である。
【図３Ｂ】図３Ｂは、保護カバーを体内水分計から外す様子を示す図である。
【図４】図４は、体内水分計の機能構成を示す図である。
【図５】図５は、体内水分計の測定回路を説明するための図である。
【図６】図６は、体内水分計の動作を説明するための図である。
【図７】図７は、メモリによる測定情報の保持を説明するための図である。
【図８】図８は、体内水分計に装着される保護カバーの外観構成を示す図である。
【図９】図９は、ケースに配列された保護カバーを体内水分計に装着する様子を示す図である。
【図１０】図１０は、イジェクトボタンにより保護カバーを体内水分計から外す様子を示す図である。
【図１１】図１１は、先端部が矩形形状の体内水分計の外観構成を示す図である。
【図１２】図１２は、本発明の一実施形態にかかる体内水分計の外観構成を示す図である。
【図１３】図１３は、体内水分計に固定されるカートリッジ部の構成、及び、該カートリッジ部が固定される固定部の構成を示す図である。
【図１４】図１４は、フィルムの巻き取り操作を説明するための図である。
【図１５】図１５は、体内水分計の動作を説明するための図である。
【図１６】図１６は、カートリッジが有するフィルムの構成を示す図である。
【図１７】図１７は、体内水分計の動作を説明するための図である。
【図１８】図１８は、本発明の一実施形態にかかる体内水分計の外観構成を示す図である。
【図１９】図１９は、体内水分計に固定されるカートリッジ部の構成、及び、該カートリッジ部が固定される固定部の構成を示す図である。
【発明を実施するための形態】
【００１５】
以下、必要に応じて添付図面を参照しながら本発明の各実施形態の詳細を説明する。なお、本発明は以下の実施形態に限定されるものではなく、適宜変更可能であるものとする。
【００１６】
［第１の実施形態］
＜１．体内水分計の外観構成＞
図１は、本実施形態に係る体内水分計１００の外観構成の一例を示す図である。体内水分計１００は、被検者の体表面である腋下の皮膚にセンサ部を接触させ、センサ部において供給した電気信号に応じた物理量を検出することで被検者の体内の水分量を検出する。本実施形態に係る体内水分計１００では、被検者の腋下にセンサ部を接触させ、物理量（生体中の水分に関するデータ）として被検者の静電容量を測定することにより、腋下の皮膚の湿り具合を検出し、体内の水分量を算出する。なお、体内水分量を算出するために検出する物理量は静電容量に限られるものではなく、例えば、定電圧もしくは定電流を被検者に供給して測定されるインピーダンスであってもよい。
【００１７】
体内水分計１００において、本体部１０１には、各種ユーザインターフェースが配置されるとともに、体内水分量を算出するための電子回路が収納される。ユーザインターフェースとしては、電源スイッチ１０２及び表示部１０３が配されている。電源スイッチ１０２がオンされると後述の電源部４１１（図４）から体内水分計１００の各部への電源供給が開始され、体内水分計１００は動作状態となる。表示部１０３には、今回の水分量の測定結果１３１が表示される。また、参考として前回の測定結果１３２もあわせて表示される。さらに、表示部１０３において、電池表示部１３３には、電池（図４の電源部４１１）の残量が表示される。なお、無効な測定結果が得られた場合や測定エラーが検出された場合には、表示部１０３に“Ｅ”が表示され、その旨をユーザに報知する。
【００１８】
体内水分計１００の先端部１０４には、センサ部１１０が矢印１４１ａ、１４１ｂの方向にスライド可能に設けられている。センサ部１１０は、センサヘッド１１１の皮膚への密着を保証する上での押し圧を確保するため、不図示のばねにより、矢印１４１ａの方向へ付勢されており（たとえば２００ｇ程度の付勢力）、センサヘッド１１１が腋下の皮膚に押し当てられてセンサ部１１０が矢印１４１ｂの方向へ所定量（例えば１ｍｍ〜１０ｍｍ、本実施形態では５ｍｍ）移動させることで測定をスタートするように構成されている。例えば、ユーザが電源スイッチ１０２をオンして体内水分計１００を動作状態とし、センサヘッド１１１を被検者の体表面に所定時間以上（例えば２秒以上）押し当てたことが検知されると、体内水分量の測定が開始される。あるいは、ユーザが電源スイッチ１０２をオンして体内水分計１００を動作状態とし、センサヘッド１１１を被検者の体表面に所定負荷（例えば１００ｇ〜３００ｇ、さらに好ましくは１５０ｇ〜２５０ｇ、本実施形態では２００ｇ）押し当てたことが検知されると、体内水分量の測定が開始される。このような仕組みにより、測定時におけるセンサヘッド１１１の腋下の皮膚への密着の程度を一定にしている。
【００１９】
なお、センサヘッド１１１の被検者との接触面には、電極が敷設され、電極を覆うように保護材が設けられている。
【００２０】
なお、センサヘッド１１１の接触面は平面形状でもよいし、凸状の曲面形状でもよい。そのような接触面の形状の例としては、球面（例えば半径１５ｍｍの球面）の一部とすることが挙げられる。
【００２１】
センサ部１１０を支持する先端部１０４には、更に、切り欠き部１５１、１５２が設けられており、図２を用いて後述する保護カバーの係止部が係止される構成となっている。かかる構成により、体内水分計１００の先端部１０４に、当該保護カバーを着脱可能に装着することができる（つまり、体内水分計１００の先端部は、センサ部１１０を支持するとともに、保護カバーが装着される装着部１０４として機能する）。なお、切り欠き部１５１、１５２には、当該保護カバーの係止部が係止された際にこれを検知する保護カバー検知部が配されているものとする。
【００２２】
＜２．体内水分計の保護カバー＞
次に、体内水分計１００のセンサ部１１０を覆う保護カバーについて説明する。上述したように体内水分計１００は、被検者の腋下の皮膚にセンサ部１１０（のセンサヘッド１１１）を接触させることで、被検者の体内の水分量を検出する構成となっている。このため、前回の被検者の腋下の汗の測定結果への影響や、センサ部１１０の衛生面の管理に配慮する必要がある。そして、本実施形態に係る体内水分計１００では、そのための対策として、当該センサ部１１０を覆う使い捨ての保護カバーが装着できるように構成されている。
【００２３】
図２は、本実施形態に係る体内水分計１００に装着される保護カバー２００の外観構成を示す図である。
【００２４】
図２において、２０１はハウジングであり、体内水分計１００の先端部１０４の外形形状に合致するよう、互いに平行に配された半円形の側面と、該半円形の円周に沿った上面とを有する中空構造となっている。これにより、体内水分計１００の先端部１０４に嵌合させることができる。
【００２５】
２０２は突起部であり、体内水分計１００の先端部１０４に嵌合されたハウジング２０１を取り外す際に、ユーザの指により押圧される部材である（なお、体内水分計１００の先端部１０４に取り付けられた保護カバー２００を取り外すための作業の詳細は後述する）。
【００２６】
２１１は保護膜であり、ハウジング２０１の上面側中央位置に設けられた開口部２１２を覆うように配されており、かつ、伸縮自在に構成されている。これにより、体内水分計１００の先端部１０４にハウジング２０１が嵌合された際に、センサ部１１０に沿って伸長することで、センサ部１１０が完全に覆われることとなる。更に、測定時にセンサ部１１０が矢印１４１ｂの方向に所定量移動した場合であっても、当該センサ部１１０の移動に追従することができる。
【００２７】
２２１、２２２は係止部であり、体内水分計１００の先端部１０４にハウジング２０１を嵌合させた際に、体内水分計１００の先端部１０４に設けられた切り欠き部１５１、１５２に係止される。これにより、保護カバー２００が体内水分計１００の先端部１０４に対して固定されることとなる。
【００２８】
＜３．保護カバーの装着作業＞
次に、保護カバー２００を体内水分計１００の先端部１０４に装着する手順について説明する。図３Ａは、保護カバー２００を体内水分計１００の先端部１０４に装着する様子を示した図である。
【００２９】
図３Ａの３ａ−１に示すように、保護カバー２００を、突起部２０２を上側にした状態で、矢印３０１方向に移動させることで、ハウジング２０１が、体内水分計１００の先端部１０４に嵌合される。
【００３０】
このとき、センサ部１１０がハウジング２０１の開口部２１２に一致するように、保護カバー２００の位置決めがなされる。これにより、保護膜２１１が伸長し、ハウジング２０１を体内水分計１００の先端部１０４に対して、より深く嵌合させることができる。この結果、係止部２２１、２２２が切り欠き部１５１、１５２に係止され、保護カバー２００が、体内水分計１００の先端部１０４に固定されることとなる。
【００３１】
＜４．保護カバーの取り外し作業＞
次に、保護カバー２００を体内水分計１００の先端部１０４から取り外す手順について説明する。図３Ｂは、保護カバー２００を体内水分計１００の先端部から取り外す様子を示した図である。
【００３２】
図３Ｂの３ａ−２に示すように、体内水分計１００の本体部１０１を握った状態で親指を伸ばすことで、親指の先端は、保護カバー２００の突起部２０２に接触することとなる。この状態で、更に親指を前方に押し出すことで、係止部２２１が切り欠き部１５１から外れるとともに、ハウジング２０１が、体内水分計１００の先端部１０４から外れ、下方に落下する。この結果、保護カバー２００が、体内水分計１００の先端部１０４から取り外されることとなる。
【００３３】
このように、本実施形態に係る体内水分計１００では、片手で、保護カバー２００を取り外すことができるよう構成されており、これにより、保護カバー２００の取り替え時のユーザの作業負荷を低減させることができる。
【００３４】
＜５．体内水分計の機能構成＞
図４は、本実施形態に係る体内水分計１００の機能構成例を示すブロック図である。図４において、制御部４０１は、ＣＰＵ４０２、メモリ４０３を有し、ＣＰＵ４０２はメモリ４０３に格納されているプログラムを実行することにより、体内水分計１００における種々の制御を実行する。例えば、ＣＰＵ４０２は、図６のフローチャートにより後述する表示部１０３の表示制御、ブザー４２２やＬＥＤランプ４２３の駆動制御、体内水分量の測定（本実施形態では静電容量測定）などを実行する。メモリ４０３は、不揮発性メモリと揮発性メモリを含み、不揮発性メモリはプログラムメモリとして、揮発性メモリはＣＰＵ４０２の作業メモリとして利用される。
【００３５】
電源部４１１は、交換が可能なバッテリー、或いは充電が可能なバッテリーを有し、体内水分計１００の各部へ電源を供給する。電圧レギュレータ４１２は、制御部４０１等へ一定電圧（例えば、２．３Ｖ）を供給する。電池残量検出部４１３は、電源部４１１から供給される電圧値に基づいて、電池の残量を検出し、その検出結果を制御部４０１に通知する。制御部４０１は、電池残量検出部４１３からの電池残量検出信号に基づいて、電池表示部１３３の表示を制御する。
【００３６】
電源スイッチ１０２が押下されると、各部への電源部４１１からの電力供給が開始される。そして、制御部４０１は、電源スイッチ１０２のユーザによる押下が１秒以上継続したことを検出すると、電源部４１１からの各部への電源供給を維持させ、体内水分計１００を動作状態とする。上述したように、測定スイッチ４１４は、センサ部１１０が矢印１４１ｂの方向へ所定量以上押されるとオン状態になる。制御部４０１は、測定スイッチ４１４のオン状態が所定時間（例えば２秒）継続すると、体内水分量の測定を開始する。なお、電源部４１１の消耗を防止するために、体内水分計１００が動作状態になってから５分経過しても測定開始とならない場合は、制御部４０１は自動的に体内水分計１００を電源オフの状態へ移行させる。
【００３７】
測定回路４２１は、センサヘッド１１１と接続され、静電容量を測定する。図５は、測定回路４２１の構成例を示す図である。オペアンプ５０１、５０２、抵抗５０３、５０４、被検体容量５１０によりＣＲ発振回路が形成されている。被検体容量５１０によって出力信号５０５の発振周波数が変化するので、制御部４０１は、出力信号５０５の周波数を測定することにより、被検体容量５１０を算出する。なお、本実施形態のセンサヘッド１１１は、例えば、２つのくし型電極が、それぞれのくし歯が互い違いに並ぶように配置されているものとするが、これに限られるものではない。
【００３８】
図４に戻る。保護カバー検知部４３１は、体内水分計１００の先端部１０４の切り欠き部１５１、１５２に設けられており、保護カバー２００の係止部２２１、２２２が係止された場合にこれを検知する。なお、体内水分量の測定の際に、保護カバー検知部４３１がオン状態であった場合には、測定された出力信号５０５の周波数に基づいて、被検体容量５１０を算出するにあたり、保護膜２１１の材質・膜厚に対応した補正値を用いて補正が行われる。
【００３９】
ここで、保護膜２１１の材質・膜厚に対応した補正値を求めるべく、保護カバー２００を装着していない場合と、保護膜２１１の材質・膜厚が異なる種々の保護カバー２００を装着した場合とでそれぞれ測定を行った、測定結果は下表（表１）のようになった。
【００４０】
【表１】
2013018295.tif 000003
【００４１】
表１に示すように、保護カバー２００を装着していない状態で被検者の腋窩にて体内水分量を測定したところ、３２．２％と測定された場合において、保護膜膜厚が、０．０３ｍｍ、０．０６ｍｍ、０．０９ｍｍのポリエチレンシート及び保護膜膜厚が０．１３ｍｍのＰＥＴ（ポリエチレンテレフタレート）シートからなる保護膜を有する保護カバー２００を装着して測定したところ、それぞれ、７．３％、３．６％、１．３％、０．７％となった。したがって、補正値は、これらの測定結果を踏まえた値を設定することとなる。
【００４２】
具体的には、保護膜２１１の材質がポリエチレンで、保護膜膜厚が０．０３ｍｍの場合にあっては、例えば、算出される体内水分量（例えばＸ％）に対して、補正値として２５％を加えた値（Ｘ％＋２５％）を最終的な体内水分量として出力するよう構成することができる。
【００４３】
図４に戻る。表示部１０３は、図１で説明したような表示を制御部４０１の制御下で行う。ブザー４２２は、センサ部１１０の押下による測定の開始や、体内水分量の測定が完了した際に鳴動し、測定の開始や完了をユーザに通知する。ＬＥＤランプ４２３もブザー４２２と同様の通知を行う。すなわち、ＬＥＤランプ４２３は、センサ部１１０の押下による測定の開始や、体内水分量の測定が完了した際に点灯し、測定の開始や完了をユーザに通知する。計時部４２４は、電源がオフの状態であっても電源部４１１からの電源供給を受けて動作し、動作状態においては時刻を制御部４０１に通知する。
【００４４】
＜６．体内水分計の動作＞
以上のような構成を備えた、本実施形態に係る体内水分計１００の動作を、図６のフローチャートを参照して説明する。
【００４５】
ステップＳ６０１では、制御部４０１が、測定開始の指示を検出する。本実施形態では、測定スイッチ４１４の状態を監視し、測定スイッチ４１４のオン状態が２秒以上継続した場合に測定開始の指示を検出したと判定する。制御部４０１は、測定開始の指示を検出すると、ステップＳ６０２において、測定回路４２１からの出力信号５０５の発振周波数を測定する。
【００４６】
ステップＳ６０３では、ステップＳ６０２において出力信号５０５の発振周波数を測定した際に、保護カバー検知部４３１がオン状態であるか否かを判定する。ステップＳ６０３において、保護カバー検知部４３１がオン状態であると判定された場合には、ステップＳ６０２において測定された出力信号５０５の発振周波数に基づいて、被検者の体内水分量を算出するにあたり、補正が必要であると判断し、ステップＳ６０４に進む。
【００４７】
ステップＳ６０４では、メモリ４０３に予め格納された補正値（保護膜２１１の有無による影響を加味した補正値）を読み出したうえでステップＳ６０５に進む。
【００４８】
一方、ステップＳ６０３において、保護カバー検知部４３１がオン状態にないと判定された場合には、ステップＳ６０２において測定された出力信号５０５の発振周波数に基づいて、被検者の体内水分量を算出するにあたり、補正が必要でないと判断し、ステップＳ６０４に進む。
【００４９】
ステップＳ６０５では、ステップＳ６０２において測定された出力信号５０５の発振周波数に基づいて、被検者の体内水分量を算出する。なお、このとき、ステップＳ６０４において補正値が読み出されていた場合には、当該補正値を用いて補正を行う。
【００５０】
ステップＳ６０６では、ステップＳ６０５で算出された体内水分量が所定の閾値を超えるか否かに基づいて被検者が脱水状態か否かを判定する。なお、この場合の閾値とは、例えば、水を１００％、空気を０％とした時の２５％に相当する値が望ましい。
【００５１】
ステップＳ６０７では、今回の測定情報をメモリ４０３に格納する。図７は、メモリ４０３に格納される測定情報のデータ構成を示す図である。図７において、測定値７０１は、今回の測定により算出された体内水分量である。判定結果７０２は、今回の測定により算出された体内水分量に対して、ステップＳ６０６において判定された、脱水状態か非脱水状態かを示す情報である。測定時刻７０３は、今回の測定において計時部４２４から通知された時刻を示す情報である。測定時刻７０３としては、例えば、ステップＳ６０２において測定を実行した時点で計時部４２４から通知されている時刻とすることができる。
【００５２】
ステップＳ６０８では、今回の測定により算出された体内水分量を表示部１０３に表示する。このとき、脱水状態か非脱水状態かの判定結果に応じた表示形態により表示を行う（例えば、脱水状態の場合には、赤色にて体内水分量を表示し、非脱水状態の場合には、青色にて体内水分量を表示する）。
【００５３】
以上の説明から明らかなように、本実施形態に係る体内水分計１００は、保護カバー２００が着脱できるように構成した。これにより、被検者の腋下の皮膚に接触させることで、被検者の体内水分量を測定する体内水分計において、前回の被検者の測定時に付着した腋下の汗の測定精度への影響を排除することが可能となった。また、センサ部１１０を常に清潔に保っておくことができるようになり、衛生面での改善を図ることが可能となった。
【００５４】
また、保護カバー２００を装着した場合に、これを検知し、体内水分量の算出において補正を加える構成とすることで、保護カバー２００の装着に伴う測定結果への影響を排除することが可能となった。
【００５５】
更に、保護カバー２００を取り外し容易な構成とすることで、保護カバー２００の着脱に伴うユーザの作業負荷を低減させることが可能となった。
【００５６】
［第２の実施形態］
上記第１の実施形態では、ハウジング２０１の上面側中央位置に開口部２１２を設け、当該開口部に、伸縮自在な保護膜２１１を配する構成としたが本発明はこれに限定されない。
【００５７】
例えば、ハウジング２０１全体を伸縮自在な素材で構成してもよいし（図８の８ａ参照）、ハウジング２０１の一部を蛇腹構造のような伸縮構造にしてもよい（図８の８ｂ参照）。
【００５８】
また、上記第１の実施形態では、保護カバー２００の装着に際して、ユーザが保護カバー２００を移動させることで、体内水分計１００の先端部１０４に嵌合させることを前提としたが本発明はこれに限定されない。
【００５９】
例えば、保護カバー２００が図９に示すように複数個配列されたケースを用意しておき、ユーザが体内水分計１００の先端部１０４を矢印９０１方向に移動させることで、体内水分計１００の先端部１０４を保護カバー２００に嵌合させるように構成してもよい（図９参照）。これにより、ユーザは保護カバー２００の装着作業及び体内水分量の測定作業をすべて片手操作で実施することが可能となり、ユーザにとっての利便性が向上する。
【００６０】
また、上記第１の実施形態では、保護カバー２００の突起部２０２を押し出すことで、保護カバー２００を取り外す構成としたが本発明はこれに限定されない。
【００６１】
例えば、体内水分計１００に、保護カバー２００の係止状態を解除するためのイジェクトボタン１００１を設け、ユーザが当該イジェクトボタン１００１を押圧することで、保護カバー２００の係止状態が解除され、保護カバー２００が取り外される構成としてもよい（図１０）。
【００６２】
［第３の実施形態］
上記第１の実施形態では、保護カバー検知部４３１を設け、保護カバー２００が装着されているか否かを自動的に検知する構成としたが、本発明はこれに限定されない。例えば、保護カバーを装着したことを手動で入力する構成としてもよい。あるいは、保護カバーの有無に応じて、ユーザが直接補正値を入力するための入力部を設けるようにしてもよい。
【００６３】
また、上記第１の実施形態では、異なる被検者に対して、同一の保護カバー２００の使用が可能な構成となっていたが、本発明はこれに限定されない。例えば、保護カバー２００を装着した状態で、体内水分量の測定が完了した場合には、表示部１０３に保護カバー２００の取り外しを促す指示を表示するように構成してもよい。これにより保護カバー２００を繰り返し使用するリスクを軽減することが可能となる。
【００６４】
［第４の実施形態］
上記１の実施形態では、体内水分計１００の先端部１０４が円形形状である場合について説明したが、本発明はこれに限定されず、例えば、矩形形状であってもよい（例えば、図１１参照）。なお、この場合、保護カバー２００のハウジング２０１も、体内水分計１００の先端部１０４の形状に応じた矩形形状となることはいうまでもない。
【００６５】
［第５の実施形態］
上記第１乃至第４の実施形態では、保護カバーが着脱できるように構成したが、本発明はこれに限定されず、巻き取り可能なフィルムを、センサ部に配置する構成としてもよい。以下、本実施形態の詳細について説明する。
【００６６】
＜１．体内水分計の外観構成＞
図１２は、本実施形態に係る体内水分計１２００の外観構成の一例を示す図である。体内水分計１２００は、被検者の体表面である腋下の皮膚にセンサ部を接触させ、センサ部において、供給された電気信号に応じた物理量を検出することで被検者の体内水分量を算出する。本実施形態に係る体内水分計１２００では、被検者の腋下にセンサ部を接触させ、物理量（生体中の水分に関するデータ）として被検者の静電容量を測定することにより、体内の水分量を算出する。なお、体内水分量を算出するために検出する物理量は静電容量に限られるものではなく、例えば、定電圧もしくは定電流を被検者に供給することで測定されるインピーダンスであってもよい。
【００６７】
体内水分計１２００において、本体部１０１には、各種ユーザインターフェースが配置されるとともに、体内水分量を算出するための電子回路が収納される。ユーザインターフェースとしては、電源スイッチ１０２及び表示部１０３が配置される。電源スイッチ１０２がオンされると電源部４１１（図４）から体内水分計１００の各部への電源供給が開始され、体内水分計１２００は動作状態となる。表示部１０３には、今回の水分量の測定結果１３１が表示される。また、参考として前回の測定結果１３２もあわせて表示される。さらに、表示部１０３の電池表示部１３３には、電池（図４の電源部４１１）の残量が表示される。なお、無効な測定結果が得られた場合や測定エラーが検出された場合には、表示部１０３に“Ｅ”が表示され、その旨をユーザに報知する。
【００６８】
体内水分計１２００の先端部１０４には、センサ部１１０が矢印１４１ａ、１４１ｂの方向（センサ部１１０を皮膚に接触させた際の接触方向）にスライド可能に設けられている（つまり、体内水分計１２００の先端部１０４は、センサ部１１０を支持する支持部として機能する）。センサ部１１０は、センサヘッド１１１の皮膚への密着を保証する上での押し圧を確保するため、不図示のばねにより、矢印１４１ａの方向へ付勢されており（たとえば２００ｇ程度の付勢力）、センサヘッド１１１が被検者の腋下の皮膚に押し当てられてセンサ部１１０が矢印１４１ｂの方向へ所定量（例えば１ｍｍ〜１０ｍｍ、本実施形態では５ｍｍ）移動すると測定がスタートするよう構成されている。例えば、ユーザが電源スイッチ１０２をオンして体内水分計１２００を動作状態とし、センサヘッド１１１を被検者の体表面に所定時間以上（例えば２秒以上）押し当てたことが検知されると、体内水分量の測定が開始される。あるいは、ユーザが電源スイッチ１０２をオンして体内水分計１２００を動作状態とし、センサヘッド１１１を被検者の体表面に所定負荷（例えば１００ｇ〜３００ｇ、さらに好ましくは１５０ｇ〜２５０ｇ、本実施形態では２００ｇ）押し当てたことが検知されると、体内水分量の測定が開始される。このような仕組みにより、測定時におけるセンサヘッド１１１の腋下の皮膚への密着の程度が一定となる。
【００６９】
センサヘッド１１１の被検者の体表面との接触面には、電極が敷設され、電極を覆うように保護材が設けられている。なお、センサヘッド１１１の接触面は平面形状であってもよいし、凸状の曲面形状であってもよい。あるいは、球面（例えば半径１５ｍｍの球面）の一部であってもよい。
【００７０】
センサ部１１０を支持する先端部１０４には、更に、開口部１２５１、１２５２が設けられている。先端部１０４のハウジング内部に固定された、カートリッジのフィルム（帯状部材）１２６０は、該開口部１２５１からハウジング外部へと延び、センサ部１１０の接触面を通って開口部１２５２に収納される。先端部１０４のハウジングは、その一部が、着脱可能に構成されており、当該ハウジングの一部を取り外すことにより、ユーザは、カートリッジを交換することができる。なお、先端部１０４のハウジング内部の構成及び、カートリッジの構成については、図１３を用いて後述する。
【００７１】
センサ部１１０を支持する先端部１０４には、更に、操作部１２７０が設けられており、所定の方向に回転させることで、カートリッジのフィルム１２６０はセンサ部１１０のセンサヘッド１１１上を所定の方向に摺動する。
【００７２】
このように、カートリッジのフィルムをセンサ部１１０を介して張架させる構成とすることで、センサ部１１０のセンサヘッド１１１がフィルム１２６０により覆われることとなり、センサ部１１０のセンサヘッド１１１に被検者の汗等が付着することを防ぐことが可能となる（つまり、センサ部１１０を清潔に保つことできる）。
【００７３】
また、測定を行うことでセンサ部１１０のセンサヘッド１１１上に位置するフィルム１２６０に、被検者の汗等が付着した場合であっても、操作部１２７０を所定方向に回転させることで、汗等が付着した部分のフィルムが巻き取られ、未使用の部分のフィルムが、センサ部１１０のセンサヘッド１１１上に配置されることとなる。つまり、従来のプラスチックフィルムの交換作業と比較して、より簡単な作業で未使用のフィルムをセンサ部に配置させることが可能となり、測定時のユーザの利便性が向上する。
【００７４】
なお、本実施形態では、操作部１２７０を所定方向に回転させることで、フィルムが巻き取られる構成としているが、本発明はこれに限定されず、例えば、センサ部１１０が矢印１４１ｂの方向にスライドした後、矢印１４１ａの方向にスライドした場合に（すなわち、センサ部１１０が往復運動をした場合に）、自動的に巻き取られる構成としてもよい。その場合、操作部１２７０を操作する必要がなくなり、測定時のユーザの利便性が更に向上する。
【００７５】
＜２．先端部の内部構成及びカートリッジの構成＞
次に、体内水分計１２００の先端部１０４のハウジング内部の構成及びカートリッジの構成について説明する。図１３は、体内水分計１２００の先端部１０４のハウジング内部の構成及びカートリッジの構成を説明するための図である。
【００７６】
図１３の１３ａは、体内水分計１２００の先端部１０４のハウジング（紙面手前側のハウジング）の一部を取り外した様子を示している。図１３の１３ａに示すように、体内水分計１２００は、先端部１０４のハウジングの一部１３２０が着脱可能に構成されており、ハウジングの一部１３２０を取り外すことで、カートリッジ１３００が固定される固定部１３１０が露出される。
【００７７】
固定部１３１０に固定されるカートリッジ１３００は、カートリッジ本体部１３０３上に、供給ローラ（第１のローラ）１３０１と、巻き取りローラ（第２のローラ）１３０２と、送りローラ１３０４、１３０５とを備える。
【００７８】
供給ローラ１３０１には、センサ部１１０に供給されるフィルム１２６０が巻き回されている。巻き取りローラ１３０２は、センサ部１１０に供給されたフィルム１２６０を巻き取るためのローラである。
【００７９】
送りローラ１３０４は、カートリッジ１３００が固定部１３１０に固定された際に、開口部１２５２近傍に位置するよう配置されている。また、送りローラ１３０５は、カートリッジ１３００が固定部１３１０に固定された際に、開口部１２５１近傍に位置するよう配置されている。なお、カートリッジ１３００内において、フィルム１２６０は、供給ローラ１３０１と巻き取りローラ１３０２との間に、当該送りローラ１３０４、１３０５を介して張架されている。
【００８０】
一方、体内水分計１２００の先端部１０４のハウジング内には、操作部１２７０を回転させることで回転する歯車１３１１、１３１２が配されている。歯車１３１１は、カートリッジ１３００が固定部１３１０に固定された際に、巻き取りローラ１３０２の下側に配された不図示の歯車と連結される。これにより、操作部１２７０を所定方向に回転させることで、固定部１３１０に固定されたカートリッジ１３００の巻き取りローラ１３０２が回転することとなり、フィルム１２６０を巻き取ることが可能となる（つまり、回転部を形成する）。
【００８１】
図１３の１３ｂは、体内水分計１２００の先端部１０４の固定部１３１０に、カートリッジ１３００を固定した様子を示している。図１３の１３ｂに示すように、固定部１３１０にカートリッジ１３００を固定するにあたり、フィルム１２６０は、センサ部１１０のセンサヘッド１１１を通るように配置される。これにより、操作部１２７０が操作され、巻き取りローラ１３０２が回転した場合に、フィルム１２６０はセンサ部１１０のセンサヘッド１１１上を摺動することとなる。
【００８２】
なお、図１３の１３ｂに示すように、送りローラ１３０４、１３０５間において、フィルム１２６０は所定量の張力により引張されているため、センサ部１１０が測定に際して矢印１４１ａ、１４１ｂ方向にスライドした場合であっても、フィルム１２６０は、センサ部１１０の当該スライド動作に追従することができる。
【００８３】
＜３．フィルムの巻き取り操作＞
次に、操作部１２７０を用いてフィルム１２６０を巻き取る巻き取り操作について説明する。図１４は、体内水分計１００の先端部１０４のハウジングの一部１３２０を取り外し、固定部１３１０に新たにカートリッジ１３００を固定した後、ハウジングの一部１３２０を再度取り付け、被検者の体内水分量の測定を行った状態を示している。
【００８４】
図１４に示すように、被検者の体内水分量の測定が完了し、ユーザが、体内水分計１２００の本体部１０１を掴んだ状態では、親指の先端は、操作部１２７０に接触することとなる。この状態で、更に親指を前方に押し出すことで、操作部１２７０は所定方向に回転し、フィルム１２６０は巻き取りローラ１３０２に巻き取られることとなる。この結果、測定時にセンサ部１１０のセンサヘッド１１１上に位置していた部分のフィルム１２６０が矢印１４０１方向に移動し、未使用の部分のフィルム１２６０が新たにセンサ部１１０のセンサヘッド１１１上に移動することとなる。
【００８５】
このように、本実施形態に係る体内水分計１２００では、簡単な操作で、使用済みの部分のフィルム１２６０を未使用の部分のフィルム１２６０に置き換えることができる。
【００８６】
＜４．体内水分計の動作＞
以上のような構成を備えた、本実施形態に係る体内水分計１００の動作を、図１５のフローチャートを参照して説明する。
【００８７】
ステップＳ１５０１では、制御部４０１が、測定開始の指示を検出する。本実施形態では、測定スイッチ４１４の状態を監視し、測定スイッチ４１４のオン状態が２秒以上継続した場合に測定開始の指示を検出したと判定する。
【００８８】
なお、測定開始の条件はこれに限定されず、例えば、センサ部１１０の表面上に圧力センサ等を配置し、フィルム１２６０がセンサ部１１０の表面を的確にカバーしているか否かを監視するように構成してもよい。あるいは、固定部１３１０に圧力センサ等を配置し、カートリッジ１３００が的確に固定されているか否かを監視するように構成してもよい。
【００８９】
更に、カートリッジのフィルム１２６０の最後尾の部分については、それ以外の部分とは厚み、伝導度、透過度のいずれかが異なる構成としておき、最後尾の部分がセンサ部１１０の表面に位置した場合に、これを検知し、残数が少ないこと、あるいは測定不可であることを認識するように構成してもよい。
【００９０】
制御部４０１では、測定開始の指示を検出し、測定開始の条件が成立したと判断すると、ステップＳ１５０２において、測定回路４２１からの出力信号５０５の発振周波数を測定する。
【００９１】
ステップＳ１５０３では、ステップＳ１５０２において測定された出力信号５０５の発振周波数に基づいて、被検者の体内水分量を算出する。
【００９２】
ステップＳ１５０４では、ステップＳ１５０３で算出された体内水分量が所定の閾値を超えるか否かに基づいて被検者が脱水状態か否かを判定する。なお、この場合の閾値とは、例えば、水を１００％、空気を０％とした時の２５％に相当する値が望ましい。
【００９３】
ステップＳ１５０５では、今回の測定情報をメモリ４０３に格納する。図７は、メモリ４０３に格納される測定情報のデータ構成を示す図である。図７において、測定値７０１は、今回の測定により算出された体内水分量である。判定結果７０２は、今回の測定により算出された体内水分量に対して、ステップＳ１５０４において判定された、脱水状態か非脱水状態かを示す情報である。測定時刻７０３は、今回の測定において計時部４２４から通知された時刻を示す情報である。測定時刻７０３としては、例えば、ステップＳ１５０２において測定を実行した時点で計時部４２４から通知されている時刻とすることができる。
【００９４】
ステップＳ１５０６では、今回の測定により算出された体内水分量を表示部１０３に表示する。このとき、脱水状態か非脱水状態かの判定結果に応じた表示形態により表示を行う（例えば、脱水状態の場合には、赤色にて体内水分量を表示し、非脱水状態の場合には、青色にて体内水分量を表示する）。
【００９５】
以上の説明から明らかなように、本実施形態に係る体内水分計１２００は、供給ローラと巻き取りローラと、該ローラ間に張架されたフィルムとを有するカートリッジを、先端部に交換可能に固定する構成とした。また、カートリッジを固定した際に、フィルムがセンサ部１１０を通って配置可能な構成とした。更に、カートリッジが固定された状態で、操作部１２７０を操作することで、巻き取りローラがフィルムを巻き取り、センサ部１１０上に位置する部分のフィルムを、未使用の部分のフィルムに簡単に置き換えることができる構成とした。
【００９６】
この結果、センサ部を清潔に保ちつつ、ユーザの利便性を向上させることが可能となった。
【００９７】
［第６の実施形態］
上記第５の実施形態では、センサ部１１０接触面上にフィルム１２６０を配し、被検者の体内水分量を測定する際に、被検者の汗等がセンサ部１１０のセンサヘッド１１１に付着するのを防止する構成とした。しかしながら、本発明はこれに限定されない。
【００９８】
例えば、センサ部１１０の接触面上をフィルムで覆うことなく露出させた状態で被検者の体内水分量を測定するよう構成しておき、センサ部１１０のセンサヘッド１１１に付着した汗等を拭きとる際に、当該フィルムを利用する構成としてもよい。
【００９９】
図１６は、本実施形態に係る体内水分計１２００に装着されるカートリッジ１３００が有するフィルム１６００の構成例を示す図である。図１６に示すように、フィルム１６００は、長手方向に所定間隔で開口部１６０１が設けられている。開口部１６０１は、センサ部１１０のセンサヘッド１１１の大きさに概ね対応している。また、開口部１６０１間には、吸収部材１６０２が配されている。
【０１００】
フィルム１６００を有するカートリッジ１３００は、図１３を用いて説明したように、フィルム１６００が、センサ部１１０を通って張架されるよう配置される。本実施形態では、このとき、開口部１６０１のうちのいずれか１つを、センサ部１１０のセンサヘッド１１１上に配置する。このような配置とすることで、センサ部１１０のセンサヘッド１１１を、直接、被検者の腋下の皮膚に接触させることができる。
【０１０１】
そして、測定後は、図１４を用いて説明したように、操作部１２７０を所定方向に回転させることで、フィルム１６００が移動する。このとき、フィルム１６００の吸収部材１６０２が、センサ部１１０のセンサヘッド１１１上を摺動するため、センサヘッド１１１上に付着した被検者の汗等は吸収部材１６０２によって拭きとられることとなる。つまり、フィルム１６００が所定量移動され、フィルム１６００の次の開口部１６０１が、センサ部１１０のセンサヘッド１１１上に位置するまでの間、吸収部材１６０２による、拭きとり作業が行われることとなる。
【０１０２】
フィルム１６００が所定量移動すると、次の開口部１６０１が、センサ部１１０のセンサヘッド１１１上に位置することとなり、再び、センサ部１１０のセンサヘッド１１１は露出するが、この時点で、フィルム１６００の吸収部材１６０２により、前回の被検者の汗等は拭き取られているため、清潔な状態で、次の測定を開始することができる。
【０１０３】
以上の説明から明らかなように、本実施形態に係る体内水分計では、所定間隔で開口部が設けられ、該開口部間に吸収部材が配されたフィルムを用いる構成とした。これにより、センサ部１１０のセンサヘッド１１１を、被検者の腋下の皮膚に直接接触させた状態で測定を行うことが可能となり、測定精度を向上させることが可能となった。また、直接接触させたことでセンサヘッド１１１に付着した被検者の汗等は、フィルム１６００の巻き取り操作により、フィルム１６００の吸収部材１６０２によって拭きとられる構成とした。
【０１０４】
この結果、センサ部を清潔に保ちつつ、ユーザの利便性を向上させることが可能となるとともに、測定精度を向上させることが可能となった。
【０１０５】
［第７の実施形態］
上記第５の実施形態では、センサ部１１０への被検者の汗等の付着を防止するためのフィルムを配する構成とし、上記第６の実施形態では、センサ部１１０に付着した被検者の汗等を拭きとるためのフィルムを配する構成とした。
【０１０６】
しかしながら、本発明はこれに限定されず、このような目的の異なるフィルムを有するカートリッジそれぞれを、着脱可能に装着する構成としてもよい。ただし、センサ部１１０への被検者の汗等の付着を防止するためのフィルムが配されたカートリッジと、センサ部１１０に付着した被検者の汗等を拭きとるためのフィルムが配されたカートリッジとでは、センサ部１１０により測定されたデータに基づいて、被検者の体内水分量を算出する際の算出手順が異なってくる。
【０１０７】
つまり、センサ部１１０に付着した被検者の汗等を拭きとるためのフィルムが配されたカートリッジの場合、センサヘッド１１１が直接被検者の腋下の皮膚に接触するのに対して、センサ部１１０への被検者の汗等の付着を防止するためのフィルムが配されたカートリッジの場合には、センサヘッド１１１が当該フィルムを介して被検者の腋下の皮膚に接触することとなる。このため、後者の場合、測定されたデータに基づいて体内水分量を算出するにあたり、フィルムの材質に応じた補正値を用いて補正を行う必要がある。以下、本実施形態に係る体内水分計の動作について説明する。
【０１０８】
図１７は、本実施形態に係る体内水分計の動作を説明するための図である。なお、図１７のＳ１５０１、Ｓ１５０２、Ｓ１５０４〜Ｓ１５０６は、図１５と同様であるため、ここでは説明を省略する。
【０１０９】
ステップＳ１７０１では、ステップＳ１７０２において出力信号５０５の発振周波数を測定した際の、カートリッジ１３００の種類を判定する。ステップＳ１７０１において、センサ部１１０への被検者の汗等の付着を防止するためのフィルムが配されたカートリッジであると判定された場合には、ステップＳ１５０２において測定された出力信号５０５の発振周波数に基づいて、被検者の体内水分量を算出するにあたり、補正が必要であると判断し、ステップＳ１７０２に進む。
【０１１０】
ステップＳ１７０２では、メモリ４０３に予め格納された補正値（フィルム１２６０の有無による影響を加味した補正値）を読み出したうえでステップＳ１７０３に進む。
【０１１１】
一方、ステップＳ１７０１において、センサ部１１０に付着した被検者の汗等を拭き取るためのフィルムが配されたカートリッジであると判定された場合には、ステップＳ１５０２において測定された出力信号５０５の発振周波数に基づいて、被検者の体内水分量を算出するにあたり、補正が必要でないと判断し、ステップＳ１７０３に進む。
【０１１２】
ステップＳ１７０３では、ステップＳ１５０２において測定された出力信号５０５の発振周波数に基づいて、被検者の体内水分量を算出する。なお、このとき、ステップＳ１７０２において補正値が読み出されていた場合には、当該補正値を用いて補正を行う。
【０１１３】
以上の説明から明らかなように、本実施形態に係る体内水分計では、目的の異なるフィルムが配されたカートリッジそれぞれを着脱可能に装着する構成とした。更に、いずれのカートリッジが装着されたかに応じて、体内水分量の算出手順が異なることに鑑みて、装着されたカートリッジの種類を判定し、当該判定結果に応じた補正を行う構成とした。
【０１１４】
この結果、センサ部を清潔に保ちつつ、ユーザの利便性を向上させることが可能となるとともに、測定精度の低下を回避することが可能となった。
【０１１５】
［第８の実施形態］
上記第７の実施形態では、カートリッジの種類を自動的に判定する構成としたが、本発明はこれに限定されない。例えば、カートリッジの種類を手動で入力する構成であってもよい。あるいは、カートリッジの種類に応じて、ユーザが直接補正値を入力するための入力部を設けるようにしてもよい。
【０１１６】
［第９の実施形態］
上記第５乃至第８の実施形態では、先端部１０４が円盤形状を有している場合について説明したが、本発明はこれに限定されず、例えば、先端部１０４の形状は矩形であってよい。また、先端に近づくにつれ、本体部１０１よりも細くなるように構成してもよい。
【０１１７】
図１８は、先端部１０４が矩形形状を有し、先端に向かって細くなるように構成した体内水分計の外観構成を示す図である。また、図１９は、当該体内水分計の先端部１０４のハウジング内部の構成及びカートリッジの構成を示す図である。
【０１１８】
図１８及び図１９に示すように、先端部１０４の形状に関わらず、上記第５乃至第８の実施形態と同様の機能を実現することができるため、上記第５乃至第８の実施形態と同様の効果を享受することができる。
【０１１９】
本発明は上記実施の形態に制限されるものではなく、本発明の精神及び範囲から離脱することなく、様々な変更及び変形が可能である。従って、本発明の範囲を公にするために、以下の請求項を添付する。
【０１２０】
本願は、２０１１年７月２９日提出の日本国特許出願特願２０１１−１６７４０７及び２０１１年８月１０日提出の日本国特許出願特願２０１１−１７５２６８を基礎として優先権を主張するものであり、その記載内容の全てを、ここに援用する。
【図１】
2013018295.tif 000004
【図２】
2013018295.tif 000005
【図３Ａ】
2013018295.tif 000006
【図３Ｂ】
2013018295.tif 000007
【図４】
2013018295.tif 000008
【図５】
2013018295.tif 000009
【図６】
2013018295.tif 000010
【図７】
2013018295.tif 000011
【図８】
2013018295.tif 000012
【図９】
2013018295.tif 000013
【図１０】
2013018295.tif 000014
【図１１】
2013018295.tif 000015
【図１２】
2013018295.tif 000016
【図１３】
2013018295.tif 000017
【図１４】
2013018295.tif 000018
【図１５】
2013018295.tif 000019
【図１６】
2013018295.tif 000020
【図１７】
2013018295.tif 000021
【図１８】
2013018295.tif 000022
【図１９】
2013018295.tif 000023
【国際調査報告】
2013018295.tif 000024
2013018295.tif 000025
2013018295.tif 000026
2013018295.tif 000027
2013018295.tif 000028
2013018295.tif 000029
2013018295.tif 000030